(57)【要約】【課題】  横クロストークによる表示品位の低下を防止する。【解決手段】  一の走査線に位置する画素の階調と予め定められた基準階調との差を求める減算器４０２と、その減算結果を当該一の走査線に位置する画素の１行分について積分する積分器４０４と、その積分値に、プリチャージ電圧の基準値に加算する加算器４１０と、当該加算結果に応じた電圧のアナログ信号に変換するＤ／Ａ変換器４１４と、このアナログ信号を書込極性に応じて反転したプリチャージ信号Ｖpreを出力する反転回路４１６とを有する。そして、このプリチャージ信号Ｖpreを、当該一の走査線が選択された後であって、次の走査線が選択される前に、データ線１１４に印加して、プリチャージする。【選択図】      図１
2005202159.tif 000002
【特許請求の範囲】
【請求項１】
複数の走査線と複数のデータ線との交差部分に対応して、スイッチング素子と画素電極との対を含む画素を有し、
当該スイッチング素子は、データ線と画素電極との間の電気的なスイッチ用に介挿されるとともに、走査線が選択されたときにオンし、
当該画素電極は、電気光学物質を介して対向電極と対向する
電気光学装置の駆動回路であって、
走査線を順次選択する走査線駆動回路と、
一の走査線が選択されたとき、当該走査線とデータ線との交差に対応する画素の階調に応じた画像信号を、当該データ線に供給するデータ線駆動回路と、
一の走査線に対応する画素の階調レベルと、予め定められた基準階調レベルとの差を、当該一の走査線に位置する画素の１行分の全部または一部について積分するとともに、
当該一の走査線の次に選択される走査線に対応する画素の画像信号をデータ線に供給する前に、各データ線を、当該積分値に応じた電圧にプリチャージするプリチャージ回路と
を具備することを特徴とする電気光学装置の駆動回路。
【請求項２】
前記基準階調レベルは、画素の階調レベルの最高値と最低値との間に相当する
ことを特徴とする請求項１に記載の電気光学装置の駆動回路。
【請求項３】
複数の走査線と複数のデータ線との交差部分に対応して、スイッチング素子と画素電極との対を含む画素を有し、
当該スイッチング素子は、データ線と画素電極との間の電気的なスイッチ用に介挿されるとともに、走査線が選択されたときにオンし、
当該画素電極は、電気光学物質を介して対向電極と対向する電気光学装置に対し、
走査線を順次選択し、一の走査線を選択したとき、当該走査線とデータ線との交差に対応する画素の階調に応じた画像信号を、当該データ線に供給する駆動方法であって、
一の走査線に対応する画素の階調レベルと、予め定められた基準階調レベルとの差を、当該一の走査線に位置する画素の１行分の全部または一部について積分するとともに、
当該一の走査線の次に選択される走査線に対応する画素の画像信号をデータ線に供給する前に、各データ線を、当該積分値に応じた電圧にプリチャージする
ことを特徴とする電気光学装置の駆動方法。
【請求項４】
複数の走査線と複数のデータ線との交差部分に対応して、スイッチング素子と画素電極との対を含む画素を有し、
当該スイッチング素子は、データ線と画素電極との間の電気的なスイッチ用に介挿されるとともに、走査線が選択されたときにオンし、
当該画素電極は、電気光学物質を介して対向電極と対向する電気光学装置であって、
走査線を順次選択する走査線駆動回路と、
一の走査線が選択されたとき、当該走査線とデータ線との交差に対応する画素の階調に応じた画像信号を、当該データ線に供給するデータ線駆動回路と、
一の走査線に対応する画素の階調レベルと、予め定められた基準階調レベルとの差を、当該一の走査線に位置する画素の１行分の全部または一部について積分するとともに、
当該一の走査線の次に選択される走査線に対応する画素の画像信号をデータ線に供給する前に、各データ線を、当該積分値に応じた電圧にプリチャージするプリチャージ回路と
を具備することを特徴とする電気光学装置。
【請求項５】
請求項４に記載の電気光学装置を表示部として有する
ことを特徴とする電子機器。
【発明の詳細な説明】
【技術分野】
【０００１】
本発明は、いわゆる横クロストークによる表示品位の低下を防止した電気光学装置、その駆動回路、その駆動方法および電子機器に関する。
【０００２】
液晶などの電気光学物質の光学変化により表示を行う表示パネルは、当該液晶を一対の基板間に挟持した構造となっている。この表示パネルについては、駆動方式によりいくつかに分類することができるが、例えば、画素を三端子型のスイッチング素子により駆動するアクティブマトリクス型にあっては、おおよそ次のような構成となっている。すなわち、この種の表示パネルを構成する一対の基板のうち、一方の基板には、複数の走査線と複数のデータ線とが互いに交差するように設けられるとともに、これらの交差部分の各々に対応して薄膜トランジスタのようなスイッチング素子および画素電極の対が設けられ、さらに、これらの画素電極が設けられる領域（表示領域）の周辺には、走査線およびデータ線の各々を駆動するための周辺回路が設けられる。また、他方の基板には画素電極に対向する透明な対向電極（共通電極）が設けられて、一定の電位に維持されている。くわえて、両基板の各対向面には、液晶分子の長軸方向が両基板間で例えば約９０度連続的に捻れるようにラビング処理された配向膜がそれぞれ設けられる一方、両基板の各背面側には配向方向に応じた偏光子がそれぞれ設けられる。
【０００３】
ここで、走査線とデータ線との交差部分に設けられたスイッチング素子は、走査線に印加される走査信号がアクティブレベルになるとオンして、データ線にサンプリングされた画像信号を画素電極に印加する。このため、画素電極と対向電極と両電極間に挟持された液晶とからなる液晶容量には、対向電極と画像信号との差に相当する電圧が印加されることになる。この後、スイッチング素子がオフしても、液晶容量には、それ自身や蓄積容量の容量性によって、印加された電圧が保持されることになる。
【０００４】
画素電極と対向電極との間を通過する光は、両電極間の電圧実効値がゼロであれば、液晶分子の捻れに沿って約９０度旋光する一方、当該電圧実効値が大きくなるにつれて、液晶分子が電界方向に傾く結果、その旋光性が消失する。このため、例えば透過型において、入射側と背面側とに、配向方向に合わせて偏光軸が互いに直交する偏光子をそれぞれ配置させた場合（ノーマリーホワイトモードの場合）、両電極間の電圧実効値がゼロであれば、光が透過するので白色（透過率が大になる）表示になる一方、電圧実効値が大きくなるにつれて透過する光量が減少して、ついには黒色（透過率が小になる）表示になる。したがって、画素電極に印加する電圧を画素毎に制御することによって、所定の表示が可能となっている。
【０００５】
ところで、この表示パネルでは、いわゆる横クロストークにより表示品位の低下が発生する、という問題がある。ここで、横クロストークとは、例えば、ノーマリーホワイトモードであれば、図１２に示されるように、灰色を背景にして矩形状の黒色領域をウィンドウ表示する場合に、右側（水平走査方向の側）における灰色領域が、本来の灰色よりも明るくなった後（場合によっては暗くなった後）、本来の灰色に徐々に戻る、というものである。なお、図１２では、階調が斜線の線密度により示されている（次の図１３においても同様である）。
このタイプの横クロストークは、画素電極に供給する画像信号に、対向電極の電位変動分を上乗せする技術によって、ある程度解消することができる（例えば、特許文献１参照）。
【特許文献１】特開２００２−１１６７３５号公報（図４参照）。
【発明の開示】
【発明が解決しようとする課題】
【０００６】
しかしながら、上記タイプの横クロストークの発生についてはある程度抑えることができるものの、今度は、別のタイプの横クロストークが発生した。この横クロストークは、図１３に示されるように、灰色を背景にして黒色領域をウィンドウ表示する場合、背景の灰色領域のうち、当該黒色領域の左右方向に隣接する領域であって、当該黒色領域よりも垂直走査方向に１行分だけズレた領域が明るくなる、というものである。
本発明は、上述した事情に鑑みてなされたもので、その目的とするところは、この新たな横クロストークの発生を抑えて、高品位な表示が可能な電気光学装置、その駆動回路、その駆動方法および電子機器を提供することにある。
【課題を解決するための手段】
【０００７】
上記目的を達成するために本発明に係る電気光学装置の駆動回路は、複数の走査線と複数のデータ線との交差部分に対応して、スイッチング素子と画素電極との対を含む画素を有し、当該スイッチング素子は、データ線と画素電極との間の電気的なスイッチ用に介挿されるとともに、走査線が選択されたときにオンし、当該画素電極は、電気光学物質を介して対向電極と対向する電気光学装置の駆動回路であって、走査線を順次選択する走査線駆動回路と、一の走査線が選択されたとき、当該走査線とデータ線との交差に対応する画素の階調に応じた画像信号を、当該データ線に供給するデータ線駆動回路と、一の走査線に対応する画素の階調レベルと、予め定められた基準階調レベルとの差を、当該一の走査線に位置する画素の１行分の全部または一部について積分するとともに、当該一の走査線の次に選択される走査線に対応する画素の画像信号をデータ線に供給する前に、各データ線を、当該積分値に応じた電圧にプリチャージするプリチャージ回路とを具備することを特徴とする。データ線には容量が寄生するので、表示内容を定める画像信号が書き込みのために印加されると、その電圧が残留する（維持される）。プリチャージ期間が短い場合に、残留電圧が異なると、各データ線にプリチャージされる電圧も異なってしまう。これに対し、本発明によれば、基準階調との差の累積値を１行分求めて、当該累積値に応じて、すなわち、推定した残留電圧に応じて、プリチャージ電圧を定めているので、データ線のプリチャージの電圧が水平走査期間毎に異なることが防止される。
【０００８】
ここで、本発明において、前記基準階調レベルは、画素の階調レベルの最高値と最低値との間に相当することが好ましい。電気光学物質として液晶を用いる場合、表示品位の低下は、電圧実効値に対して透過率（または反射率）変化が大きく変化する灰色表示領域では発生しやすいので、基準階調レベルとして画素の階調レベルにおける最高値と最低値との間に相当する灰色を選ぶと、基準階調レベルとの比較が有効に働くからである。
また、本発明において、電気光学装置の駆動回路のみならず、電気光学装置の駆動方法としても、さらに、電気光学装置それ自体としても概念することができる。加えて、本発明に係る電子機器は、上記電気光学装置を表示部として有するので、横クロストークの発生が抑えられる。
【発明を実施するための最良の形態】
【０００９】
以下、本発明を実施するための形態について図面を参照して説明する。図１は、本発明の実施形態に係る電気光学装置の構成を示すブロック図である。
この図に示されるように、電気光学装置は、表示パネル１００と、制御回路２００と、処理回路３００と、セレクタ３５０と、プリチャージ電圧生成回路４００とから構成される。このうち、制御回路２００は、図示しない上位装置から供給される垂直走査信号Ｖｓ、水平走査信号Ｈｓおよびドットクロック信号ＤＣＬＫにしたがって、各部を制御するためのタイミング信号やクロック信号などを生成する。
【００１０】
処理回路３００は、Ｓ／Ｐ変換回路３０２、Ｄ／Ａ変換器群３０４および増幅・反転回路３０６から構成される。
このうち、Ｓ／Ｐ変換回路３０２は、映像データＶｉｄを、Ｎ（図においてはＮ＝６）系統のチャネルに分配するとともに、時間軸にＮ倍に伸長して（シリアル−パラレル変換）、映像データＶｄ１ｄ〜Ｖｄ６ｄとして出力するものである。この映像データＶｉｄは、図示されない上位装置から、垂直走査信号Ｖｓ、水平走査信号Ｈｓおよびドットクロック信号ＤＣＬＫに同期して、すなわち、垂直走査および水平走査に同期してシリアルで供給され、画素の濃度（階調）を画素毎にディジタル値で指定する。なお、シリアル−パラレル変換する理由は、後述するサンプリングスイッチ１５１（図２参照）において、画像信号が印加される時間を長くして、サンプル＆ホールド時間および充放電時間を確保するためである。
【００１１】
Ｄ／Ａ変換器群３０４は、チャネル毎に設けられたＤ／Ａ変換器であり、映像データＶｄ１ｄ〜Ｖｄ６ｄをそれぞれ画素の階調に応じた電圧を有するアナログ画像信号に変換するものである。
増幅・反転回路３０６は、アナログ変換された画像信号のうち、極性反転が必要となるものを反転させ、この後、適宜、増幅して画像信号Ｖｄ１〜Ｖｄ６として供給するものである。ここで、極性反転については、（１）走査線毎、（２）データ信号線毎、（３）画素毎、（４）面（フレーム）毎などの態様があるが、この実施形態にあっては説明の便宜上、（１）走査線単位の極性反転であるとする。ただし、本発明をこれに限定する趣旨ではない。また、本実施形態における極性反転とは、所定の一定電圧Ｖc（画像信号の振幅中心電位であり、対向電極の印加される電圧ＬＣcomとほぼ等しい）を基準として交互に電圧レベルを反転させることをいう。そして、電圧Ｖcよりも高位電圧を正極性といい、電圧Ｖcよりも低位電圧を負極性という。
なお、この実施形態では、Ｓ／Ｐ変換回路３０２により変換された映像データＶｄ１ｄ〜Ｖｄ６ｄをアナログ変換したが、増幅・反転後において、アナログ変換しても良いのはもちろんである。
【００１２】
次に、本発明の特徴部分であるプリチャージ電圧生成回路４００について説明する。
プリチャージ電圧生成回路４００において、減算器４０２は、映像データＶｉｄから基準データＲｅｆを減算して、その減算結果たるデータＤｅｆを出力する。ここで基準データＲｅｆは、例えば画素の最低階調と最高階調との中間値である灰色に相当する値のデータであり、映像データＶｉｄで示される画素の階調変化分を算出するために用いられる。
積分器４０４は、水平有効表示期間にのみＨレベルとなる信号ＨＲが供給されて、その信号ＨＲの立ち上がりによって積分結果をリセットした後、データＤｅｆを、信号ＨＲがＨレベルである期間だけ積分（累算）して、その積分値を示すデータＩｎｔを出力するものである。ラッチ回路４０６は、データＩｎｔを、最終列の画素に対応する映像データＶｉｄが出力されるタイミングにてラッチして、ラッチデータＬ１として出力する。乗算器４０８は、ラッチデータＬ１に係数ｋ１を乗算して、補正データＥｒとする。
【００１３】
加算器４１０は、プリチャージ電圧の基準値を規定する電圧データＰreに、補正データＥｒを加算する。ラッチ回路４１２は、加算器４１０による加算結果をラッチして、補正済データＰre−ａとして保持する。Ｄ／Ａ変換器４１４は、補正済データＰre−ａをアナログの電圧信号に変換する。反転回路４１６は、Ｄ／Ａ変換器４１４により変換された電圧信号を、上記電圧Ｖcを基準として、画像信号Ｖｄ１〜Ｖｄ６と同極性にレベル反転または正転させて、プリチャージ信号Ｖpreとして出力する。
セレクタ３５０は、各チャネルにおいて、信号ＮＲＧがＬレベルであるときに増幅・反転回路３０６による画像信号Ｖｄ１〜Ｖｄ６を選択する一方、信号ＮＲＧがＨレベルであるときにプリチャージ電圧生成回路４００によるプリチャージ信号Ｖpreを選択して、表示パネル１００に信号Ｖｉｄ１〜Ｖｉｄ６として供給する。ここで、信号ＮＲＧは、制御回路２００から供給され、Ｈレベルであるときにデータ線へのプリチャージを指示する信号である。なお、この実施形態では、信号ＮＲＧのパルス幅は、水平走査期間毎では一定とする。
【００１４】
次に、表示パネル１００の詳細な構成について説明する。図２は、この表示パネル１００の電気的な構成を示すブロック図である。
この図に示されるように、表示領域１００ａにあっては、複数の走査線１１２がＸ方向に延在して形成される一方、複数のデータ線１１４がＹ方向に形成される。そして、これらの走査線１１２とデータ線１１４との交差部分の各々において、薄膜トランジスタ（Thin Film Transistor：以下「ＴＦＴ」と称する）１１６および画素電極１１８の対が設けられている。ここで、ＴＦＴ１１６のゲートは走査線に、ソースはデータ線１１４に、ドレインは画素電極１１８に、それぞれ接続されている。
また、画素電極１１８に対向するように、一定の電圧ＬＣcomに維持された対向電極１０８が設けられるとともに、これらの画素電極１１８と対向電極１０８との間に液晶層１０５が挟持されている。
【００１５】
説明の便宜上、走査線１１２の総本数を「ｍ」とし、データ線１１４の総本数を「６ｎ」とすると（ｍ、ｎは、それぞれ整数とする）、画素は、走査線１１２とデータ線１１４との各交差部分に対応して、ｍ行×６ｎ列のマトリクス状に配列することになる。
また、液晶容量における電荷のリークを抑えるために、蓄積容量１１９が画素毎に形成されている。この蓄積容量１１９の一端は、画素電極１１８（ＴＦＴ１１６のドレイン）に接続される一方、その他端は、容量線１７５により共通接地されている。
【００１６】
一方、表示領域１００ａの周辺には、走査線駆動回路１３０や、データ線駆動回路１４０などが設けられている。このうち、走査線駆動回路１３０は、図３に示されるように、走査信号Ｇ１、Ｇ２、…、Ｇｍが順番に１水平有効表示期間だけアクティブ（Ｈ）レベルになるように出力するものである。なお、走査線駆動回路１３０の詳細については、本発明と直接関連しないので省略するが、１垂直走査期間の最初に供給される転送開始パルスＤＹを、クロック信号ＣＬＹのレベルが遷移する毎に順次シフトした後、波形整形などして、走査信号Ｇ１、Ｇ２、…、Ｇｍを生成する。
【００１７】
また、データ線駆動回路１４０は、シフトレジスタ１４１、ＡＮＤ回路１４２、ＯＲ回路１４４およびサンプリングスイッチ１５１から構成される。このうち、シフトレジスタ１４１は、図３に示されるように、１水平有効表示期間の最初に供給される転送開始パルスＤＸを、クロック信号ＣＬＸのレベルが遷移する（立ち上がる又は立ち下がる）毎に順次シフトして、データ線のブロック毎に対応させて信号Ｓ１’、Ｓ２’、Ｓ３’、…、Ｓｎ’として出力する。
ＡＮＤ回路１４２は、シフトレジスタ１４１の各出力段にそれぞれ設けられ、当該出力段からの信号と制御回路２００から供給される信号ＥＮＢとの論理積信号を出力するものである。これにより、シフトレジスタ１４１の各出力段による信号は、それぞれ信号ＥＮＢのパルス幅ＳＭＰａに狭められて、信号遅延等に理由によって相隣接するもの同士の重複が防止されている。
ＯＲ回路１４４は、ＡＮＤ回路１４２による論理積信号と、制御回路２００から供給される信号ＮＲＧとの論理和信号を、サンプリング信号として出力するものである。このように、シフトレジスタ１４１による信号Ｓ１’、Ｓ２’、Ｓ３’、…、Ｓｎ’は、ＡＮＤ回路１４２およびＯＲ回路１４４を順番に経て、最終的にサンプリング信号Ｓ１、Ｓ２、Ｓ３、…、Ｓｎとして出力される。
【００１８】
サンプリングスイッチ１５１は、６本の画像信号線１７１を介して供給される６チャネル分の信号Ｖｉｄ１〜Ｖｉｄ６を、サンプリング信号Ｓ１、Ｓ２、Ｓ３、…、Ｓｎにしたがって各データ線１１４にサンプリングするものであり、データ線１１４毎に設けられる。
本実施形態では、データ線１１４は６本毎にブロック化されており、図２において左から数えてｉ（ｉは、１、２、…、ｎ）番目のブロックに属するデータ線１１４の６本のうち、最も左に位置するデータ線１１４の一端に接続されるサンプリングスイッチ１５１は、画像信号線１７１を介して供給された信号Ｖｉｄ１を、サンプリング信号Ｓｉがアクティブになる期間においてサンプリングして、当該データ線１１４に供給する構成となっている。また、ブロックにおいて２番目に位置するデータ線１１４の一端に接続されるサンプリングスイッチ１５１は、信号Ｖｉｄ２を、サンプリング信号Ｓｉがアクティブになる期間においてサンプリングして、当該データ線１１４に供給する構成となっている。以下同様に、ブロックに属するデータ線１１４の６本のうち、３、４、５、６番目に位置するデータ線１１４の一端に接続されるサンプリングスイッチ１５１の各々は、信号Ｖｉｄ３、Ｖｉｄ４、Ｖｉｄ５、Ｖｉｄ６の各々を、サンプリング信号Ｓｉがアクティブレベルになる期間においてサンプリングして、対応するデータ線１１４に供給する構成となっている。
【００１９】
したがって、シフトレジスタ１４１、ＡＮＤ回路１４２およびサンプリングスイッチ１５１によって、画像信号線１７１に供給された信号Ｖｉｄ１〜Ｖｉｄ６をデータ線１１４にサンプリングすることになる。ただし、信号ＮＲＧがＨレベルであるとき、後述するようにデータ線駆動回路１４０の一部は、データ線１１４をプリチャージ信号Ｖpreの電圧でプリチャージするプリチャージ回路として機能する。
なお、走査線駆動回路１３０や、データ線駆動回路１４０の構成素子は、画素を駆動するＴＦＴ１１６と共通の製造プロセスで形成されて、装置全体の小型化や低コスト化に寄与している。
【００２０】
次に、電気光学装置の動作について説明する。まず、垂直走査期間の最初において、転送開始パルスＤＹが走査線駆動回路１３０に供給される。この供給によって、図３に示されるように、走査信号Ｇ１、Ｇ２、Ｇ３、…、Ｇｍが順次排他的にアクティブレベルになって、それぞれ走査線１１２に出力される。
まず、走査信号Ｇ１がアクティブレベルになる水平有効表示期間について着目すると、当該水平有効表示期間の先立つ帰線期間において、信号ＮＲＧが、図３または図４に示されるように、その帰線期間の前後端から隔絶されたプリチャージ期間にてＨレベルになる。
ここで、説明の便宜上、表示パネル１００における表示ムラの発生原因を説明する必要があるので、プリチャージ電圧生成回路４００は、プリチャージ信号Ｖpreを補正しない、すなわち、図４に示されるように、プリチャージ信号Ｖpreを、電圧データＰreで規定される基準値のプリチャージ電圧、詳細には、正極性書込の直前では当該正極性書込の灰色に相当する電圧Ｖg(+)に、負極性書込の直前では当該負極性書込の灰色に相当する電圧Ｖg(-)に、それぞれ１水平走査期間毎にレベル反転する構成を想定する。
【００２１】
信号ＮＲＧがＨレベルであると、セレクタ３５０はプリチャージ信号Ｖpreを選択するので、６本の画像信号線１７１は、直後の書込極性が正極性であると仮定すれば、電圧Ｖg(+)となる。また、信号ＮＲＧがＨレベルになると、ＡＮＤ回路１４２による論理積信号のレベルにかかわらず、ＯＲ回路１４４の論理積信号はＨレベルになるので、すべてのサンプリングスイッチ１５１がオンする。したがって、信号ＮＲＧがＨレベルになると、すべてのデータ線１１４には、正極性書込に対応して電圧Ｖg(+)がプリチャージされることとなる。
したがって、信号ＮＲＧがＨレベルであるとき、プリチャージ電圧生成回路４００、セレクタ３５０、画像信号線１７１、ＯＲ回路１４４およびサンプリングスイッチ１５１によって、データ線１１４をプリチャージ信号Ｖpreの電圧でプリチャージするプリチャージ回路が構成されることになる。
【００２２】
次に、帰線期間が終了すると、転送開始パルスＤＸは、シフトレジスタ１４１によって順次シフトされて、図３または図４に示されるように、水平有効表示期間にわたって、信号Ｓ１’、Ｓ２’、Ｓ３’、…、Ｓｎ’として出力される。さらに、これらの信号Ｓ１’、Ｓ２’、Ｓ３’、…、Ｓｎ’は、信号ＥＮＢとの論理積がＡＮＤ回路１４２によってとられて、相隣接するもの同士、パルス幅が互いに重複しないように期間ＳＭＰａに狭められたサンプリング信号Ｓ１、Ｓ２、Ｓ３、…、Ｓｎとして順番に出力される。
【００２３】
一方、水平走査に同期して供給される映像データＶｉｄは、第１に、Ｓ／Ｐ変換回路３０２によって６チャネルに分配されるとともに、時間軸に対して６倍に伸長され、第２に、Ｄ／Ａ変換器群３０４によってそれぞれアナログ信号に変換されるとともに、正極性書込に対応して、電圧Ｖcを基準に正転出力される。このため、正転出力される画像信号Ｖｄ１〜Ｖｄ６は、画素を黒色とするにつれて、電圧Ｖcよりも高位電圧となる。
また、水平有効走査期間では、信号ＮＲＧがＬレベルになり、このため、セレクタ３５０は、当該画像信号Ｖｄ１〜Ｖｄ６を選択するので、６本の画像信号線１７１に供給される信号Ｖｉｄ１〜Ｖｉｄ６は、処理回路３００による画像信号Ｖｄ１〜Ｖｄ６となる。
【００２４】
走査信号Ｇ１がアクティブレベルになる水平有効走査期間において、サンプリング信号Ｓ１がアクティブレベルになると、左から１番目のブロックに属する６本のデータ線１１４には、画像信号Ｖｄ１〜Ｖｄ６のうち対応するものがそれぞれサンプリングされる。そして、サンプリングされた画像信号Ｖｄ１〜Ｖｄ６は、図２において上から数えて１本目の走査線１１２と当該６本のデータ線１１４と交差する画素の画素電極１１８にそれぞれ印加されることになる。
この後、サンプリング信号Ｓ２がアクティブレベルになると、今度は、２番目のブロックに属する６本のデータ線１１４に、それぞれ画像信号Ｖｄ１〜Ｖｄ６がサンプリングされて、これらの画像信号Ｖｄ１〜Ｖｄ６が、１本目の走査線１１２と当該６本のデータ線１１４と交差する画素の画素電極１１８にそれぞれ印加されることになる。
【００２５】
以下同様にして、サンプリング信号Ｓ３、Ｓ４、……、Ｓｎが順次アクティブレベルになると、第３番目、第４番目、…、第ｎ番目のブロックに属する６本のデータ線１１４に画像信号Ｖｄ１〜Ｖｄ６のうち対応するものがサンプリングされ、これらの画像信号Ｖｄ１〜Ｖｄ６が、１本目の走査線１１２と、当該６本のデータ線１１４と交差する画素の画素電極１１８にそれぞれ印加されることになる。これにより、第１行目の画素のすべてに対する書き込みが完了することになる。
【００２６】
続いて、走査信号Ｇ２がアクティブになる期間について説明する。本実施形態では、上述したように、走査線単位の極性反転が行われるので、この水平走査期間においては、負極性書込が行われることになる。
まず、走査信号Ｇ２がアクティブレベルになる水平有効表示期間について着目すると、この負極性書込の水平有効表示期間の先立つ帰線期間のうち、プリチャージ期間において信号ＮＲＧがＨレベルになると、プリチャージ信号Ｖpreを補正しない場合のプリチャージ電圧生成回路４００は、図４で示されるように、各チャネルに対するプリチャージ信号Ｖpreを、負極性書込の直前では当該負極性書込の灰色に相当する電圧Ｖg(-)とする。このため、すべてのデータ線１１４には、負極性書込に対応して電圧Ｖg(-)がプリチャージされることとなる。
他の動作については走査信号Ｇ１がアクティブになる期間と同様であり、サンプリング信号Ｓ１、Ｓ２、Ｓ３、…、Ｓｎが順次アクティブレベルになって、第２行目の画素のすべてに対する書き込みが完了することになる。ただし、増幅・反転回路３０６は、Ｄ／Ａ変換器群３０４によるアナログ信号を、それぞれ負極性書込に対応して、電圧Ｖcを基準に反転出力するので、画像信号Ｖｄ１〜Ｖｄ６は、画素を黒色とするにつれて、電圧Ｖcよりも低位電圧となる。
【００２７】
以下同様にして、走査信号Ｇ３、Ｇ４、…、Ｇｍがアクティブになって、第３行目、第４行目、…、第ｍ行目の画素に対して書き込みが行われることになる。これにより、奇数行目の画素については正極性書込が行われる一方、偶数行目の画素については負極性書込が行われて、この１垂直走査期間においては、第１行目〜第ｍ行目の画素のすべてにわたって書き込みが完了することになる。
そして、次の１垂直走査期間においても、同様な書き込みが行われるが、この際、各行の画素に対する書込極性が入れ替えられる。すなわち、次の１垂直走査期間において、奇数行目の画素については負極性書込が行われる一方、偶数行目の画素については正極性書込が行われることになる。このように、垂直走査期間毎に画素に対する書込極性が入れ替えられるので、液晶１０５に直流成分が印加されることがなくなり、液晶１０５の劣化が防止される。
【００２８】
ただし、このような書き込みでは、表示パネル１００において灰色を背景として黒色領域をウィンドウ表示する場合に、図１３に示されるような横クロストークに起因する表示ムラが発生するが発生するのは、上述した通りである。ここで、明るくなる灰色領域が黒色領域に対して１行分だけシフトしている点に着目すると、明るくなる灰色領域の書き込みが、直前の行である、黒色領域を含む行の書き込みの影響を受けているであろうことは、ある程度想像がつく。このため、本願発明者は、各種のパターンを表示させ、発生する明度差の程度を考察して、その結果から、本願発明において対象とする横クロストークの原因が帰線期間に実行されるプリチャージ電圧の書込不足であることをほぼ特定した。
【００２９】
そこで、次にプリチャージ電圧の書込不足という点について詳述する。図１３において、Ａ領域またはＣ領域に属する走査線１１２を選択する場合（黒色領域を含まない灰色領域だけを水平走査する場合）、ある１本の画像信号線１７１に供給される信号Ｖｄｉ（Ｖｄ１〜Ｖｄ６のうちの１つ）は、図５（ａ）に示されるように、１水平有効表示期間にわたって書込極性に応じて灰色に相当する電圧Ｖg( +)または電圧Ｖg(-)をとるとともに、１水平走査期間毎に交互に切り替えられる。このことは、例えば正極性書込が行われる１水平有効表示期間においては、すべてのデータ線１１４に、対応するサンプリングスイッチ１５１のオンによって電圧Ｖg(+)がサンプリングされることを意味する。また、データ線１１４には、ある程度の容量が寄生するので、対応するサンプリングスイッチ１５１がオフしても、オン時にサンプリングされた画像信号の電圧Ｖg(+)が維持される。
正極性書込の後には、負極性書込が行われるが、その直前においてプリチャージが実行されるのは、上述した通りである。このため、負極性書込の直前において、すべてのデータ線１１４は、電圧Ｖg(+)から、負極性書込に対応した電圧Ｖg(-)にプリチャージされることになる。
【００３０】
一方、図１３においてＢ領域に属する走査線１１２を選択する場合（黒色領域を含む領域を水平走査する場合）、ある１本の画像信号線１７１に供給される画像信号Ｖｄｉは、図５（ｂ）に示されるように、正極性書込であれば、Ｄ領域またはＦ領域に属するデータ線１１４の水平走査時には、灰色に相当する電圧Ｖg(+)となり、Ｅ領域に属するデータ線１１４の水平走査時には、黒色に相当する電圧Ｖb（+)となる。このことは、例えば正極性書込が行われる１水平有効表示期間においては、Ｄ領域およびＦ領域に属するデータ線１１４には電圧Ｖg(+)がサンプリングされ、Ｆ領域に属するデータ線１１４には電圧Ｖb(+)がサンプリングされて、サンプリングスイッチ１５１がオフしても維持されることを意味する。すなわち、プリチャージ直前において、Ｄ領域およびＦ領域に属するデータ線１１４は、電圧Ｖg(+)に維持されているが、Ｅ領域に属するデータ線１１４は、それよりも高い電圧Ｖb(+)に維持されている。
【００３１】
このため、Ｂ領域に属する走査線１１２を選択した直後において、すべてのデータ線１１４を電圧Ｖg(-)にプリチャージするためには、Ａ領域またはＣ領域に属する走査線１１２を選択した直後の場合と比較して、充放電量が大きいことから、長い期間を要することが判る。
近年の表示パネルでは、画素数が多くなって、それだけ高速駆動が要求されるので、プリチャージにかける時間を充分に確保できない。したがって、正極性書込の直後であって、負極性書込の直前におけるプリチャージの場合では、実際にデータ線１１４にプリチャージされる電圧は、Ａ領域またはＣ領域に属する走査線１１２が選択された後よりも、Ｂ領域に属する走査線１１２が選択された後の方が、図５（ｂ）において、目標とする電圧Ｖg(-)よりもΔＶ１だけ高くなってしまうことになる。
データ線１１４が電圧Ｖg(-)にプリチャージされた状態と、それよりも電圧ΔＶ１だけ高くプリチャージされた状態とでは、負極性書込において、同じ灰色の電圧Ｖg(-)をデータ線１１４にサンプリングしても、最終的に画素電極１１８に書き込まれる電圧は、後者の方が高くなってしまう。このため、液晶容量の電圧実効値は、後者の方が小さくなる。すなわち、Ｂ領域に属する走査線１１２を選択した水平走査期間の次の水平走査期間において書き込まれる液晶容量の電圧実効値は、Ａ領域またはＣ領域に属する走査線１１２を選択した水平走査期間の次の水平走査期間において書き込まれる液晶容量の電圧実効値よりも、たとえ同じ灰色であっても、小さくなってしまう。したがって、ノーマリーホワイトモードであれば、電圧実効値が小さくなる分だけ、明るくなって、これが明度差として視認されるのである。
【００３２】
なお、負極性書込の直後であって、正極性書込の直前においては、電圧変動方向が逆の関係になるが、電圧実効値でみると、小さくなることには変わりはない。また、灰色以外の黒色領域においても、同様な理由から電圧実効値が小さくなっていると考えられるが、黒色領域では明度差が明確には視認されない。その理由は、液晶装置において、電圧実効値に対する透過率の特性（Ｖ−Ｔ特性）が、白色または黒色近傍では、灰色近傍よりも鈍いので、電圧実効値に多少の相違があっても、明度差としてほとんど視認されないからである。
【００３３】
ここで、横クロストークがプリチャージの書込不足が原因で発生するのであれば、そのようなプリチャージを実行しなければ良い、という方策も考えられる。しかし、今日の表示パネルでは、画素数が極めて多く、画素電極への書込時間を充分に確保できない状況にある。このため、データ線１１４をプリチャージしないと、短時間のうちに、データ線１１４に画像信号をサンプリングすることができないし、また、データ線に残存する電圧が互いに異なっている状態で、画素電極にデータ線を介して画像信号を書き込むと、横クロストークよりも、遙かに悪性の品位低下が発生する。したがって、プリチャージを実行しない、という方策は安易に採用することができない。
【００３４】
このように、ある１水平走査期間において水平走査されることにより液晶容量に書き込まれる電圧実効値は、その直前においてデータ線１１４にプリチャージされた電圧に依存して変動する。ここで、そのデータ線１１４のすべてにプリチャージされる電圧は、その直前において水平走査された画素１行分の階調内容に依存することになる。このことは、逆に言えば、ある１水平走査期間において水平走査される画素１行分の内容は、次の１水平走査期間の書込直前においてデータ線にプリチャージされる電圧に、等しく影響を与えることを意味する。
【００３５】
そこで、ある１水平走査期間において１行分の画素を水平走査する直前におけるプリチャージ信号の電圧を、その直前１行分の画素の内容で定まる不足分を見越すように補正し、実際にデータ線１１４にプリチャージされる電圧を目標値により正確に近づけることによって、書込不足を未然に防ぐことができる、と考えられる。
このための構成が、プリチャージ電圧生成回路４００のうち、減算器４０２から加算器４１０までの構成であり、画素の階調と基準階調との差を画素１行分積分（累積）するとともに、この積分値（累積値）に応じた値を補正値として、プリチャージ電圧の基準値を規定する電圧データＰreに加算し、この加算結果にしたがってプリチャージ信号を生成する構成を採用している。
【００３６】
このプリチャージ電圧生成回路４００の構成についてはすでに説明しているので、ここでは、その動作について図６のタイミングチャートを参照して説明する。
まず、１水平有効表示期間においては、水平走査にしたがって映像データＶｉｄが画素毎に供給される。
そして、この映像データＶｉｄで示される階調と基準データＲｅｆで示される基準階調との差である減算データＤｅｆが、減算器４０２によって画素毎に求められ、さらに、この減算データＤｅｆが、積分器４０４によって積分され、積分データＩｎｔとして出力される。したがって、この積分データＩｎｔが最終列の画素の映像データＶｉｄが出力されるタイミングにてラッチされると、そのラッチ結果たるしたラッチデータＬ１は、減算データＤｅｆを、当該水平走査にかかる１行分の画素について積分（累積）した値を示すことになる。
【００３７】
このラッチデータＬ１で示される値に係数ｋ１が乗算器４０８によって乗算され、この乗算結果が補正データＥｒとなる。さらに、この補正データＥｒに電圧データＰreが加算器４１０によって加算された後、補正済データＰre−ａとしてラッチ回路４１２によって保持される。
この補正済データＰre−ａがＤ／Ａ変換器４１４によってアナログの電圧信号に変換されるとともに、この電圧信号が、反転回路４１６によって、当該水平有効表示期間の次の水平有効表示期間における書込極性と同極性となるように電圧Ｖcを基準に反転または正転出力される。
このため、ある１行分の画素に着目した場合、当該１行分の画像信号Ｖｄ１〜Ｖｄ６が供給されると、その後の帰線期間において、プリチャージ信号Ｖpreの電圧は、その次の書込極性が正極性であれば、着目行における補正データＥｒに相当する電圧分ΔＶ２だけ電圧Ｖg(+)に上乗せした値となる一方、その次の書込極性が負極性であれば、補正データＥｒに相当する電圧分ΔＶ２だけ電圧Ｖg(-)から減じた値となる。
【００３８】
したがって、例えば、図１３において、Ａ領域またはＣ領域に属する走査線１１２が選択された場合に水平走査される画素は、すべて灰色であるので、基準データＲｅｆで示される基準階調との差を１行分累積した積分データＩｎｔで示される値は、ゼロに近くなる。このため、その選択後のプリチャージ電圧Ｖpreは、ほとんど補正されず、ほぼ基準値通りのＶg(+)またはＶg(-)となる。これに対し、Ｂ領域に属する走査線が選択された場合に水平走査される画素は、Ｄ領域またはＦ領域の灰色に、Ｅ領域の黒色が加わるので、積分データＩｎｔで示される値は大きくなる。このため、その後のプリチャージ電圧Ｖpreは、プリチャージ直後の書込極性が正極性であれば、電圧Ｖg(+)に電圧分ΔＶ２だけ上乗せした値となり、負極性であれば、電圧Ｖg(-)に電圧分ΔＶ２だけ減じた値となるので、プリチャージ電圧の書込不足が補われる。
したがって、明るくなってしまう部分については、暗くなる方向でプリチャージされた状態で書き込みが行われるので、暗くなる方向に誘導される結果、上述した横クロストークを解消することができる。
【００３９】
なお、ここでは、図１３に示されるように灰色を背景にして矩形状の黒色領域をウィンドウ表示する場合を例にとって説明したが、灰色を背景にして白色領域をウィンドウ表示する場合には、電圧実効値を大きくさせる方向に、すなわち、ノーマリーホワイトモードであれば画素を暗くする方向に変動させる。ただし、本実施形態では、黒色領域をウィンドウ表示する場合と比較すると、データＤｅｆの正負符号が反転する結果、プリチャージ電圧Ｖpreの補正方向が逆向きになる。すなわち、暗くなってしまう部分については、明るくなる方向でプリチャージされた状態で書き込みが行われるので、明るくなる方向に誘導される。
また、上述した実施形態では、１行分の画素のすべてについて、減算データＤｅｆを積分することにしたが、１行分の画素の一部についてのみ、例えば、奇数列の画素の減算データＤｅｆのみを積分する構成としても良い。この理由は、１行分の画素の一部についての積分値であっても、１行分の画素の全部についての積分値をある程度反映しているからである。特に、自然画や写真画などでは、隣接画素同士における階調の相関性が高いので、１行分の画素の全部についての積分値を求める必要性が薄れることになる。
【００４０】
また、上述した実施形態にあっては、プリチャージ信号Ｖpreを、水平帰線期間に画像信号線１７１を介して供給するとともに、信号ＮＲＧにより全データ線１１４にサンプリングしてプリチャージする構成であったが、例えば、図８に示されるように、データ線１１４の一端に、信号ＮＲＧによってオンするスイッチ１６１をそれぞれ設けて、画像信号線１７１を介さずに、全データ線１１４をプリチャージする構成としても良い。
なお、この構成では、図７に示されるようにセレクタ３５０が不要となり、増幅・反転回路３０６による画像信号Ｖｄ１〜Ｖｄ６がそのまま画像信号線１７１に供給される一方、反転回路４１６によるプリチャージ信号Ｖpreが、オン時のスイッチ１６１を経由してデータ線１１４に印加されることになる。
【００４１】
また、上述した実施形態において、処理回路３００や、プリチャージ電圧生成回路４００は、ディジタルで処理していたが、画素の階調を示す電圧でアナログ処理する構成としても良い。
さらに、上述した実施形態にあっては、対向電極１０８と画素電極１１８との電圧実効値が小さい場合に白色表示を行うノーマリーホワイトモードとして説明したが、黒色表示を行うノーマリーブラックモードとしても良い。また、プリチャージ信号の基準電圧として、灰色に相当する電圧Ｖg(+)、Ｖg(-)を用いて、書込極性にしたがって１水平走査期間毎にレベル反転する構成としたが、白色または黒色に相当する電圧を用いて良いし、例えば、正極性書込では、白色に相当する電圧Ｖcを選択し、負極性書込では、黒色に相当する電圧Ｖb(+)を用いるなど、書込極性に応じて異なる階調に相当する電圧を用いても良い。なお、プリチャージ信号の基準電圧を書込極性に応じて異ならせる場合には、電圧データＰreを、書込極性に応じて切り替える必要がある。
【００４２】
くわえて、実施形態にあっては、反転回路４１６によって、電圧Ｖcを基準として、プリチャージ信号Ｖpreを反転して、正極性および負極性書込に対応したが、例えば、負極性の黒色に相当する電圧Ｖg(-)から正極性の黒色に相当する電圧Ｖg(+)までをカバーするように、Ｄ／Ａ変換器４１４の出力レンジを拡大させて、両極性をディジタル値で区別して処理する構成としても良い。
さらに、実施形態にあっては、プリチャージを規定する信号ＮＲＧのパルス幅を一定とし、基準となるプリチャージ信号の電圧を補正データＥｒによって補正したが、プリチャージ信号の電圧を一定とし、信号ＮＲＧのパルス幅を補正データＥｒによって補正する構成としても良い。この場合、例えば灰色領域に対して黒色領域の占める割合が大きいほど、信号ＮＲＧのパルス幅が広くなるように補正される。
すなわち、本発明では、最終的にデータ線１１４にプリチャージされる電圧が、積分値を基礎とする補正データＥｒを反映していれば良い。
【００４３】
また、実施形態では、垂直走査方向がＧ１→Ｇｍの方向であり、水平走査方向がＳ１→Ｓｎの方向であったが、回転可能な表示パネルや、後述するプロジェクタに適用する場合には、走査方向を反転させることが必要となる。ただし、映像データＶｉｄは、垂直走査および水平走査に同期して供給されるので、処理回路３００やプリチャージ電圧生成回路４００について変更する必要はない。
【００４４】
上述した実施形態にあっては、６本のデータ線１１４が１ブロックにまとめられて、１ブロックに属する６本のデータ線１１４に対して、６系統に変換した画像信号Ｖｄ１〜Ｖｄ６をサンプリングする構成したが、変換数および同時に印加するデータ線数（すなわち、１ブロックを構成するデータ線数）は、「６」に限られるものではない。例えばサンプリングスイッチ１５１の応答速度が十分に高いのであれば、補正画像信号をパラレルに変換することなく１本の画像信号線にシリアル伝送して、データ線１１４毎に順次サンプリングするように構成しても良い。また、変換数および同時に印加するデータ線の数を「３」や、「１２」、「２４」、「４８」等として、３本や、１２本、２４本、「４８」等のデータ線に対して、３系統変換や、１２系統変換、２４系統、４８系統変換等した補正画像信号を同時に供給する構成としても良い。なお、変換数としては、カラーの画像信号が３つの原色に係る信号からなることとの関係から、３の倍数であることが制御や回路などを簡易化する上で好ましいが、後述するプロジェクタのように単なる光変調の用途の場合には、３の倍数である必要はない。
【００４５】
くわえて、実施形態にあっては、素子基板には、ガラス基板を用いたが、ＳＯＩ（Silicon On Insulator）の技術を適用し、サファイヤや、石英、ガラスなどの絶縁性基板にシリコン単結晶膜を形成して、ここに各種素子を作り込んでも良い。また、素子基板として、シリコン基板などを用いるとともに、ここに各種の素子を形成しても良い。このような場合には、各種スイッチとして、電界効果型トランジスタを用いることができるので、高速動作が容易となる。ただし、素子基板が透明性を有しない場合、画素電極１１８をアルミニウムで形成したり、別途反射層を形成したりするなどして、反射型として用いる必要がある。
【００４６】
さらに、上述した実施形態では、液晶としてＴＮ型を用いたが、ＢＴＮ（Bi-stable Twisted Nematic）型・強誘電型などのメモリ性を有する双安定型や、高分子分散型、さらには、分子の長軸方向と短軸方向とで可視光の吸収に異方性を有する染料（ゲスト）を一定の分子配列の液晶（ホスト）に溶解して、染料分子を液晶分子と平行に配列させたＧＨ（ゲストホスト）型などの液晶を用いても良い。
また、電圧無印加時には液晶分子が両基板に対して垂直方向に配列する一方、電圧印加時には液晶分子が両基板に対して水平方向に配列する、という垂直配向（ホメオトロピック配向）の構成としても良いし、電圧無印加時には液晶分子が両基板に対して水平方向に配列する一方、電圧印加時には液晶分子が両基板に対して垂直方向に配列する、という平行（水平）配向（ホモジニアス配向）の構成としても良い。このように、本発明では、液晶や配向方式として、種々のものに適用することが可能である。
以上については、電気光学物質として液晶を用いた電気光学装置について説明したが、本発明では、書き込みの前にデータ線をプリチャージする構成であれば、例えばＥＬ（Electronic Luminescence）素子、電子放出素子、電気詠動素子、デジタルミラー素子などを用いた装置や、プラズマディスプレイなどにも適用可能である。
【００４７】
＜電子機器＞
次に、上述した実施形態に係る電気光学装置を用いた電子機器のいくつかについて説明する。
【００４８】
＜その１：プロジェクタ＞
まず、上述した表示パネル１００をライトバルブとして用いたプロジェクタについて説明する。図９は、このプロジェクタの構成を示す平面図である。この図に示されるように、プロジェクタ２１００内部には、ハロゲンランプ等の白色光源からなるランプユニット２１０２が設けられている。このランプユニット２１０２から射出された投射光は、内部に配置された３枚のミラー２１０６および２枚のダイクロイックミラー２１０８によってＲ（赤）、Ｇ（緑）、Ｂ（青）の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【００４９】
ここで、ライトバルブ１００Ｒ、１００Ｇおよび１００Ｂの構成は、上述した実施形態における表示パネル１００と同様であり、処理回路（図１１では省略）から供給されるＲ、Ｇ、Ｂの各色に対応する画像信号でそれぞれ駆動されるものである。すなわち、このプロジェクタ２１００では、表示パネル１００が、Ｒ、Ｇ、Ｂの各色に対応して３組設けられた構成になっている。
さて、ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、スクリーン２１２０には、投射レンズ２１１４によってカラー画像が投射されることとなる。
【００５０】
なお、ライトバルブ１００Ｒ、１００Ｇおよび１００Ｂには、ダイクロイックミラー２１０８によって、Ｒ、Ｇ、Ｂの各原色に対応する光が入射するので、上述したようにカラーフィルタを設ける必要はない。また、ライトバルブ１００Ｒ、１００Ｂの透過像は、ダイクロイックミラー２１１２により反射した後に投射されるのに対し、ライトバルブ１００Ｇの透過像はそのまま投射されるので、ライトバルブ１００Ｒ、１００Ｂによる水平走査方向は、ライトバルブ１００Ｇによる水平走査方向と逆向きにして、左右を反転させた像を表示する構成となっている。
【００５１】
＜その２：モバイル型コンピュータ＞
次に、上述した液晶表示装置を、モバイル型のパーソナルコンピュータに適用した例について説明する。図１２は、このパーソナルコンピュータの構成を示す斜視図である。図において、コンピュータ２２００は、キーボード２２０２を備えた本体部２２０４と、表示部として用いられる表示パネル１００とを備えている。なお、この背面には、視認性を高めるためのバックライトユニット（図示省略）が設けられる。
【００５２】
＜その３：携帯電話＞
さらに、上述した液晶表示装置を、携帯電話の表示部に適用した例について説明する。図１３は、この携帯電話の構成を示す斜視図である。図において、携帯電話２３００は、複数の操作ボタン２３０２のほか、受話口２３０４、送話口２３０６とともに、表示部として用いられる表示パネル１００を備えるものである。なお、この表示パネル１００の背面にも、視認性を高めるためのバックライトユニット（図示省略）が設けられる。
【００５３】
＜電子機器のまとめ＞
なお、電子機器としては、図１１、図１２および図１３を参照して説明した他にも、テレビジョンや、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラ、タッチパネルを備えた機器等などが挙げられる。そして、これらの各種の電子機器に対して、本発明に係る電気光学装置が適用可能なのは言うまでもない。
【図面の簡単な説明】
【００５４】
【図１】本発明の実施形態に係る液晶表示装置の全体構成を示すブロック図である。
【図２】同液晶表示装置における表示パネルの電気的構成を示すブロック図である。
【図３】同液晶表示装置の動作を説明するためのタイミングチャートである。
【図４】同液晶表示装置の動作を説明するためのタイミングチャートである。
【図５】同液晶表示装置の動作を説明するためのタイミングチャートである。
【図６】同プリチャージ電圧生成回路の動作を説明するためのタイミングチャートである。
【図７】本発明の変形形態に係る液晶表示装置の全体構成を示すブロック図である。
【図８】同液晶表示装置の表示パネルの電気的構成を示すブロック図である。
【図９】実施形態等に係る液晶表示装置を適用した電子機器の一例たるプロジェクタの構成を示す断面図である。
【図１０】実施形態等に係る液晶表示装置を適用した電子機器の一例たるパーソナルコンピュータの構成を示す斜視図である。
【図１１】実施形態等に係る液晶表示装置を適用した電子機器の一例たる携帯電話の構成を示す斜視図である。
【図１２】横クロストークによる表示品位の低下を示す図である。
【図１３】横クロストークによる表示品位の低下を示す図である。
【符号の説明】
【００５５】
１００…表示パネル、１１２…走査線、１１４…データ線、１１６…ＴＦＴ、１１８…画素電極、１３０…走査線駆動回路、１４０…データ線駆動回路、３００…画像信号処理回路、４００…プリチャージ電圧生成回路、４０２…減算器、４０４…積分器、４０８…乗算器、４１２…加算器、２１００…プロジェクタ、２２００…パーソナルコンピュータ、２３００…携帯電話
【図１】
2005202159.tif 000003
【図２】
2005202159.tif 000004
【図３】
2005202159.tif 000005
【図４】
2005202159.tif 000006
【図５】
2005202159.tif 000007
【図６】
2005202159.tif 000008
【図７】
2005202159.tif 000009
【図８】
2005202159.tif 000010
【図９】
2005202159.tif 000011
【図１０】
2005202159.tif 000012
【図１１】
2005202159.tif 000013
【図１２】
2005202159.tif 000014
【図１３】
2005202159.tif 000015